(57)【要約】【課題】肩車する者および肩車される者の負担を軽減する肩車用クッションを提供する。【解決手段】肩車用クッションを、首にかけて両肩を保護するＵ字状の肩当てクッション１と、首の後部を保護する首当てクッション２とを備え、肩車する者と肩車される者との間に介在して肩車する者の両肩および首を保護するものとなす。【選択図】図１
2006045701.tif 000002
【特許請求の範囲】
【請求項１】
首にかけて両肩を保護するＵ字状の肩当てクッションと、首の後部を保護する首当てクッションとを備え、肩車する者と肩車される者との間に介在して肩車する者の両肩および首を保護する肩車用クッション。
【請求項２】
前記肩当てクッションから胸の前方に垂れ下がり、肩車される者の足と肩車する者との間に介在する足受け部を更に設けた請求項１に記載の肩車用クッション。
【請求項３】
肩車される者の足を前記足受け部に固定する拘束ベルトを更に設けた請求項２に記載の肩車用クッション。
【請求項４】
前記足受け部同士を連結する連結手段を更に設けた請求項２または３に記載の肩車用クッション。
【請求項５】
前記足受け部を体の前面に固定する固定手段を更に設けた請求項２から４のいずれかに記載の肩車用クッション。
【請求項６】
前記固定手段を、前記足受け部を背負い袋の肩紐に取り付ける肩紐取付具で構成した請求項５に記載の肩車用クッション。
【発明の詳細な説明】
【技術分野】
【０００１】
この発明は、肩車する者が肩に装着する肩車用クッションに関する。
【背景技術】
【０００２】
親子のスキンシップを図る方法として、抱っこ、おんぶ、肩車などが一般的に行なわれている。中でも肩車は、父親が行なうことが多く、父親と子供のスキンシップを図る好適な手段である。
【０００３】
しかし、子供を肩車する際、肩および首で直接子供の体重を受けるので、肩および首が局所的に圧迫され、肩車する者に大きい負担がかかる。一方、子供も、肩車する者の肩および首に直接またがるので、足や臀部などが局所的に圧迫され、疲れやすい。
【０００４】
したがって、より小さい負担で肩車が可能となれば、子供を肩車する機会が増え、父親と子供の絆がより深いものとなる。また、母親も肩車で子供とのスキンシップを図ることができる。
【発明の開示】
【発明が解決しようとする課題】
【０００５】
この発明が解決しようとする課題は、肩車する者および肩車される者の負担を軽減する肩車用クッションを提供することである。
【課題を解決するための手段】
【０００６】
上記の課題を解決するために、首にかけて両肩を保護するＵ字状の肩当てクッションと、首の後部を保護する首当てクッションとを備え、肩車する者と肩車される者との間に介在して肩車する者の両肩および首を保護する肩車用クッションを提供する。
【０００７】
この肩車用クッションは、前記肩当てクッションから胸の前方に垂れ下がり、肩車される者の足と肩車する者との間に介在する足受け部を更に設けるとより好ましいものとなる。
【０００８】
前記足受け部を更に設けた肩車用クッションは、次の構成を加えるとより好ましいものとなる。
１）肩車される者の足を前記足受け部に固定する拘束ベルトを設ける。
２）前記足受け部同士を連結する連結手段を設ける。
３）前記足受け部を体の前面に固定する固定手段を設ける。
【０００９】
この固定手段は、前記足受け部を背負い袋の肩紐に取り付ける肩紐取付具で構成すると好ましい。
【発明の効果】
【００１０】
肩当てクッションと首当てクッションによるクッション効果が得られるので、肩車する者の肩および首が局所的に圧迫されにくく、肩車する者の負担が軽減する。また、肩当てクッションと首当てクッションのクッション効果により、肩車される者の足や臀部の局所的な圧迫が防止され、肩車される者の負担も軽減する。その他の作用効果は、次欄で詳しく述べる。
【発明を実施するための最良の形態】
【００１１】
図１に、この発明の肩車用クッションの実施形態を示す。この肩車用クッションは、肩を保護する肩当てクッション１と、首の後部を保護する首当てクッション２と、肩に乗った子供の足を受ける足受け部３とを備える。
【００１２】
肩当てクッション１は、Ｕ字状をしており、首にかけた状態で両肩を保護する。また、首の後部に対応する位置に首当てクッション２が設けられており、肩当てクッション１を首にかけた状態で首当てクッション２が首の後部を保護する。
【００１３】
肩当てクッション１から胸の前方に足受け部３、３が垂れ下がっており、この足受け部３は、肩車した際、肩に乗った子供の足と肩車する者の胸との間に介在する。足受け部３の下端近傍には拘束ベルト４が設けられており、この拘束ベルト４で、子供の足を足受け部３に固定することができる。拘束ベルト４にはバックル５が取り付けられており、このバックル５で拘束ベルト４の端をつないで子供の足を固定する。また、足受け部３の下端近傍には、足受け部３、３同士を連結する連結ベルト６が設けられており、肩に乗った子供の足が開いて肩から転落するのを防止する。
【００１４】
足受け部３の裏側には、図３に示すように、肩紐通しベルト７がアーチ状に取り付けられており、肩紐通しベルト７と足受け部３との間にリュックサックの肩紐Ｋを通すことができる。肩紐Ｋを通してリュックサックを背負うと、図４に示すように、足受け部３が体の前面に固定されて離れないので、足受け部３に足を固定された子供が後方に転落しにくい。
【００１５】
足受け部３、３同士を連結する連結ベルト６にはバックル８が取り付けられているので、このバックル８で連結ベルト６を分断することにより、肩車用クッションを取り付けたまま、リュックサックを簡単に背負うことができる。
【００１６】
また、図３に示すように、肩当てクッション１の裏面には、バックル片９ａが取り付けられている。このバックル片９ａを、リュックサックの肩紐Ｋに取り付けられたバックル片９ｂと連結すると、肩当てクッション１の位置が安定し、肩車用クッションの背中側へのずり落ちを防止できる。しかも、リュックサックを肩から降ろしたときに肩車用クッションがリュックサックから離れず、両者を一体的に取り扱うことができる。
【００１７】
この肩車用クッションを用いて肩車すれば、肩当てクッション１と首当てクッション２によるクッション効果が得られるので、肩車する者の肩および首が局所的に圧迫されにくく、肩車する者の負担が軽減する。また、肩当てクッション１と首当てクッション２のクッション効果により、子供の足や臀部の局所的な圧迫が防止され、子供が疲れにくい。
【００１８】
また、子供の足を固定した足受け部３を連結ベルト６で連結したので、肩に乗った子供の足の位置が安定し、さらに、足受け部３を肩紐通しベルト７で体の前面に固定したので、肩に乗った子供が後方に転落しにくく、安全性が高い。
【００１９】
肩当てクッション１には、肩に乗った子供の臀部が接触する部分の表面に滑り止め加工を施すと好ましい。これにより、子供が後方にずり落ちにくくなり、安全性がより向上する。
【００２０】
また、肩当てクッション１および首当てクッション２として、軟質ウレタンフォームを用いると、子供の体重がより均一に分散されるので、子供および肩車する者の負担の軽減効果が高い。さらに、肩当てクッション１および首当てクッション２の表面に立体メッシュを用いると、通気性が良くなり、蒸れにくい。
【００２１】
図に示すように、足受け部３を肩当てクッション１と一体となし、足受け部３をクッション材で形成すると、そのクッション効果により肩に乗った子供の足が疲れにくい。
【００２２】
足受け部３の体への固定は、リュックサックの肩紐Ｋと足受け部３とをバックル等の留め具で連結して行なってもよく、面ファスナーで連結して行なってもよい。また、肩車する者の胴体に巻きつけるベルトを足受け部３に設けて、このベルトで足受け部３を体に直接固定してもよい。
【００２３】
肩当てクッション１は、図２に示すように、肩に相当する部分にキルティングによるヒンジ１０を形成すると、装着したときに肩に沿いやすくなり、装着感が向上する。また、肩当てクッション１の中央にキルティングによるヒンジ１１を形成して半分に折り畳めるようにすれば、リュックサックの中に肩車用クッションを収納しやすい。
【００２４】
なお、図に示す肩車用クッションおよびリュックサックは、互いに分離して、それぞれ単独で使用することもできる。
【００２５】
肩当てクッション１および首当てクッション２には、必要に応じて、抗菌加工、汚れ防止加工、防臭加工などを施しておくことができる。
【図面の簡単な説明】
【００２６】
【図１】この発明の実施形態の肩車用クッションを装着した状態を示す図
【図２】同上の肩車用クッションの正面側斜視図
【図３】同上の肩車用クッションの背面図
【図４】同上の肩車用クッションの使用例を示す図
【符号の説明】
【００２７】
１    肩当てクッション
２    首当てクッション
３    足受け部
４    拘束ベルト
６    連結ベルト
７    肩紐通しベルト
８    バックル
Ｋ    肩紐
【図１】
2006045701.tif 000003
【図２】
2006045701.tif 000004
【図３】
2006045701.tif 000005
【図４】
2006045701.tif 000006